(57)【特許請求の範囲】
【請求項１】
複数のラインセンサが配置されて構成されかつ原稿を読み取る原稿読取手段と、
前記複数のラインセンサの配置方向に、前記原稿と前記原稿読取手段とを相対的に移動させる移動手段と、
前記相対的に移動している状態で前記原稿を前記複数のラインセンサの内の少なくとも１本のラインセンサにより予備読み取りすると共に、前記原稿と前記原稿読取手段とを相対的に間欠移動しかつ前記原稿と前記原稿読取手段とを相対的に停止状態中に前記原稿を前記複数のラインセンサで本読み取りするように前記原稿読取手段及び前記移動手段を制御する制御手段と、
を備えた原稿読取装置。
【請求項２】
前記原稿を原稿読取手段に結像させる結像レンズと、
前記結像レンズの被写界深度を調整する調整手段と、
前記写真フィルムにおける前記原稿読取手段による読取領域を平面に規制する平面規制手段と、
を含み、
前記制御手段は、前記予備読み取りする際は前記被写界深度を深くすると共に前記本読み取りする際は前記被写界深度を浅くしかつ前記読取領域を平面に規制するように前記調整手段及び前記平面規制手段を更に制御する、
ことを特徴とする請求項１記載の原稿読取装置。
【請求項３】
前記原稿における前記複数のラインセンサの内の少なくとも１本のラインセンサによる読取領域を平面に規制する第１の平面規制手段と、
前記原稿における前記原稿読取手段による全読取領域を平面に規制する第２の平面規制手段と、
を備え、
前記制御手段は、前記予備読み取りする際は前記第１の平面規制手段により前記複数のラインセンサの内の少なくとも１本のラインセンサによる読取領域を平面に規制すると共に、前記本読み取りする際は前記第１の平面規制手段に代えて前記第２の平面規制手段により前記原稿読取手段により全読取領域を平面に規制するように前記第１の平面規制手段及び前記第２の平面規制手段を更に制御する、
ことを特徴とする請求項１記載の原稿読取装置。
【請求項４】
前記原稿は、画像コマが形成された写真感光材料であり、かつ、画像コマの位置を特定するパーフォレーション及びバーコードの少なくとも一方が形成されており、
前記制御手段は、前記予備読み取りする際は、前記複数のラインセンサの内の少なくとも１本のラインセンサにより前記形成されているパーフォレーション及びバーコードの少なくとも一方を更に読み取ると共に、前記本読み取りする際は、該読み取ったパーフォレーション及びバーコードの少なくとも一方の情報に基づいて、前記画像コマが前記原稿読取手段による読取領域に位置するように更に制御する、
ことを特徴とする請求項１乃至請求項３の何れか１項に記載の原稿読取装置。
【請求項５】
前記制御手段は、前記複数のラインセンサの内の少なくとも１つのラインセンサを専用ラインセンサとして予め定め、前記予備読み取りする際は、該専用ラインセンサにより原稿を読み取ることを特徴とする請求項１乃至請求項４の何れか１項に記載の原稿読取装置。
【請求項６】
前記予備読み取りの際の原稿の相対的移動方向上流側に配置され、かつ、前記原稿の先端を検出する先端検出センサを含み、
前記原稿の移動面への前記先端検出センサの投影位置から該移動面上に所定距離離れた位置に投影されるラインセンサを前記専用ラインセンサとして定め、
前記制御手段は、前記先端検出センサにより先端が検出されたときから前記原稿が前記所定距離相対的に移動したときから予備読み取りを開始するように前記原稿読取手段を制御する、
ことを特徴とする請求項５記載の原稿読取装置。
【請求項７】
複数の読取素子からなるエリアセンサと、
予め定められた移動方向に、前記原稿と前記エリアセンサとを相対的に移動させる移動手段と、
前記相対的に移動している状態で前記エリアセンサの内の一部の読取素子により予備読み取りすると共に、前記原稿と前記エリアセンサとを相対的に間欠移動しかつ前記原稿と前記エリアセンサとを相対的に停止状態中に前記原稿を前記エリアセンサで本読み取りするように前記エリアセンサ及び前記移動手段を制御する制御手段と、
を備えた原稿読取装置。
【請求項８】
前記エリアセンサの内の一部の読取素子による読取領域を平面に規制する第１の平面規制手段と、
前記原稿における前記エリアセンサにより全読取領域を平面に規制する第２の平面規制手段と、
を備え、
前記制御手段は、前記予備読み取りする際は前記第１の平面規制手段により前記エリアセンサの内の一部の読取素子による読取領域を平面に規制すると共に、前記本読み取りする際は前記第１の平面規制手段に代えて前記第２の平面規制手段により前記エリアセンサにより全読取領域を平面に規制するように前記第１の平面規制手段及び前記第２の平面規制手段を更に制御する、
ことを特徴とする請求項７記載の原稿読取装置。
【請求項９】
前記原稿は、画像コマが形成された写真感光材料であり、かつ、画像コマの位置を特定するパーフォレーション及びバーコードの少なくとも一方が形成されており、
前記制御手段は、前記予備読み取りする際は、前記エリアセンサの内の一部の読取素子により前記形成されているパーフォレーション及びバーコードの少なくとも一方を更に読み取ると共に、前記本読み取りする際は、該読み取ったパーフォレーション及びバーコードの少なくとも一方の情報に基づいて、前記画像コマが前記エリアセンサによる読取領域に位置するように更に制御する、
ことを特徴とする請求項７又は請求項８記載の原稿読取装置。
【請求項１０】
前記制御手段は、前記エリアセンサの内の一部の読取素子を専用読取素子として予め定め、前記予備読み取りする際は、該専用読取素子により原稿を読み取ることを特徴とする請求項７乃至請求項９の何れか１項に記載の原稿読取装置。
【請求項１１】
複数のラインセンサが配置されて構成されかつ原稿を読み取る原稿読取手段と、
前記複数のラインセンサの配置方向に、前記原稿と前記原稿読取手段とを相対的に移動させる移動手段と、
前記移動手段による移動方向における前記原稿の移動の上流側の、前記原稿読取手段から離間した位置に配置された少なくとも１本のラインセンサと、
前記原稿読取手段の複数のラインセンサの読取領域及び前記少なくとも１本のラインセンサの読取領域に光を照射する単一の照射手段と、
前記相対的に移動している状態で前記原稿を前記少なくとも１本のラインセンサにより予備読み取りし、該予備読み取りの結果に基づいて、該少なくとも１本のラインセンサにより予備読み取りされた領域が、前記原稿読取手段の読取領域に位置し、該予備読み取りされた領域が前記原稿読取手段の読取領域に位置した状態で前記原稿と前記原稿読取手段とを相対的に停止させかつ該予備読み取りされた領域を前記原稿読取手段の複数のラインセンサで本読み取りするように前記原稿読取手段及び前記移動手段を制御する制御手段と、
を備えた原稿読取装置。
【請求項１２】
複数のラインセンサが配置されて構成されかつ原稿を読み取る原稿読取手段と、
前記複数のラインセンサの配置方向に、前記原稿と前記原稿読取手段とを相対的に移動させる移動手段と、
を備えた原稿読取装置の原稿読取方法であって、
前記相対的に移動している状態で前記原稿を前記複数のラインセンサの内の少なくとも１本のラインセンサにより予備読み取りし、
前記原稿と前記原稿読取手段とを相対的に間欠移動しかつ前記原稿と前記原稿読取手段とを相対的に停止状態中に前記原稿を前記複数のラインセンサで本読み取りする、
原稿読取方法。
【請求項１３】
複数の読取素子からなるエリアセンサと、
予め定められた移動方向に、前記原稿と前記エリアセンサとを相対的に移動させる移動手段と、
を備えた原稿読取装置の原稿読取方法であって、
前記相対的に移動している状態で前記エリアセンサの内の一部の読取素子により予備読み取りし、
前記原稿と前記エリアセンサとを相対的に間欠移動しかつ前記原稿と前記エリアセンサとを相対的に停止状態中に前記原稿を前記エリアセンサで本読み取りする、
原稿読取方法。
【請求項１４】
複数のラインセンサが配置されて構成されかつ原稿を読み取る原稿読取手段と、
前記複数のラインセンサの配置方向に、前記原稿と前記原稿読取手段とを相対的に移動させる移動手段と、
前記移動手段による移動方向における前記原稿の移動の上流側の、前記原稿読取手段から離間した位置に配置された少なくとも１本のラインセンサと、
前記原稿読取手段の複数のラインセンサの読取領域及び前記少なくとも１本のラインセンサの読取領域に光を照射する単一の照射手段と、
を備えた原稿読取装置の原稿読取方法であって、
前記相対的に移動している状態で前記原稿を前記少なくとも１本のラインセンサにより予備読み取りし、
前記予備読み取りの結果に基づいて、該少なくとも１本のラインセンサにより予備読み取りされた領域が、前記原稿読取手段の読取領域に位置させ、
前記予備読み取りされた領域が前記原稿読取手段の読取領域に位置した状態で前記原稿と前記原稿読取手段とを相対的に停止させかつ該予備読み取りされた領域を前記原稿読取手段の複数のラインセンサで本読み取りする、
原稿読取方法。
【発明の詳細な説明】
【０００１】
【発明の属する技術分野】
本発明は、原稿読取装置及び原稿読取方法に係り、より詳しくは、エリアセンサを用いて原稿を読み取る原稿読取装置及び原稿読取方法に関する。
【０００２】
【従来の技術】
従来より、フィルムを搬送しながらフィルムに記録された画像を粗に読み取って画像の概要を得るプレスキャン部と、プレスキャン部によるプレスキャンの結果に応じて、画像読み取りの濃度範囲、測定時間及びフィルムの搬送速度を調整し、調整された搬送速度で搬送しながらフィルムの画像を高い空間分解能及び濃度分解能で読み取る本スキャン部と、をフィルムの搬送方向に並んで配置した画像読取装置が提案されいてる（特開平７−１５５９３号公報）。
【０００３】
上記プレスキャン部は、プレスキャン用の光源、フィルムを搬送する複数の搬送ローラ対、結像レンズ、及びプレスキャン用のラインＣＣＤを有する。また、上記本スキャン部は、本スキャン用の光源、フィルタ部、集光部、搬送ローラ対、結像レンズ、本スキャン用のラインＣＣＤを有する。更に、プレスキャン部における走査搬送速度は、本スキャン部における最高速度と同速度以上としている。
【０００４】
【発明が解決しようとする課題】
しかしながら、上記画像読取装置は、プレスキャン部とファインスキャン部とを各々別々に配置して構成されているので、部品点数が多くなり、装置の構成が複雑である。
【０００５】
また、プレスキャン部とファインスキャン部とは、上記のように、フィルムの搬送方向に並んで配置し、プレスキャン部における走査搬送速度を、本スキャン部における最高速度と同速度以上としているので、プレスキャン部の搬送ローラ対と本スキャン部の搬送ローラ対との間は、プレスキャン部と本スキャン部との速度差によるフィルムの弛みを妨害しないために、必要に応じてフィルムの弛みを吸収するためのアキュムレータ等を配備しなくてはならない。
【０００６】
本発明は、上記事実に鑑みて成されたもので、簡易な構成でかつ予備読み取り及び本読み取りの際の速度差を考慮した構成が不要な原稿読取装置及び原稿読取方法を提供することを目的とする。
【０００７】
【課題を解決するための手段】
上記目的達成のため請求項１記載の発明は、複数のラインセンサが配置されて構成されかつ原稿を読み取る原稿読取手段と、前記複数のラインセンサの配置方向に、前記原稿と前記原稿読取手段とを相対的に移動させる移動手段と、前記相対的に移動している状態で前記原稿を前記複数のラインセンサの内の少なくとも１本のラインセンサにより予備読み取りすると共に、前記原稿と前記原稿読取手段とを相対的に間欠移動しかつ前記原稿と前記原稿読取手段とを相対的に停止状態中に前記原稿を前記複数のラインセンサで本読み取りするように前記原稿読取手段及び前記移動手段を制御する制御手段と、を備えている。
【０００８】
請求項２記載の発明は、請求項１記載の発明において、前記原稿を原稿読取手段に結像させる結像レンズと、前記結像レンズの被写界深度を調整する調整手段と、前記写真フィルムにおける前記原稿読取手段による読取領域を平面に規制する平面規制手段と、を含み、前記制御手段は、前記予備読み取りする際は前記被写界深度を深くすると共に前記本読み取りする際は前記被写界深度を浅くしかつ前記読取領域を平面に規制するように前記調整手段及び前記平面規制手段を更に制御することを特徴とする。
【０００９】
請求項３記載の発明は、請求項１記載の発明において、前記原稿における前記複数のラインセンサの内の少なくとも１本のラインセンサによる読取領域を平面に規制する第１の平面規制手段と、前記原稿における前記原稿読取手段により全読取領域を平面に規制する第２の平面規制手段と、を備え、前記制御手段は、前記予備読み取りする際は前記第１の平面規制手段により前記複数のラインセンサの内の少なくとも１本のラインセンサによる読取領域を平面に規制すると共に、前記本読み取りする際は前記第１の平面規制手段に代えて前記第２の平面規制手段により前記原稿読取手段により全読取領域を平面に規制するように前記第１の平面規制手段及び前記第２の平面規制手段を更に制御することを特徴とする。
【００１０】
請求項４記載の発明は、請求項１乃至請求項３の何れか１項に記載の発明において、前記原稿は、画像コマが形成された写真感光材料であり、かつ、画像コマの位置を特定するパーフォレーション及びバーコードの少なくとも一方が形成されており、前記制御手段は、前記予備読み取りする際は、前記複数のラインセンサの内の少なくとも１本のラインセンサにより前記形成されているパーフォレーション及びバーコードの少なくとも一方を更に読み取ると共に、前記本読み取りする際は、該読み取ったパーフォレーション及びバーコードの少なくとも一方の情報に基づいて、前記画像コマが前記原稿読取手段による読取領域に位置するように更に制御することを特徴とする。
【００１１】
請求項５記載の発明は、請求項１乃至請求項４の何れか１項に記載の発明において、前記制御手段は、前記複数のラインセンサの内の少なくとも１つのラインセンサを専用ラインセンサとして予め定め、前記予備読み取りする際は、該専用ラインセンサにより原稿を読み取ることを特徴とする。
【００１２】
請求項６記載の発明は、請求項５記載の発明において、前記予備読み取りの際の原稿の相対的移動方向上流側に配置され、かつ、前記原稿の先端を検出する先端検出センサを含み、前記原稿の移動面への前記先端検出センサの投影位置から該移動面上に所定距離離れた位置に投影されるラインセンサを前記専用ラインセンサとして定め、前記制御手段は、前記先端検出センサにより先端が検出されたときから前記原稿が前記所定距離相対的に移動したときから予備読み取りを開始するように前記原稿読取手段を制御することを特徴とする。
【００１３】
請求項７記載の発明は、複数の読取素子からなるエリアセンサと、予め定められた移動方向に、前記原稿と前記エリアセンサとを相対的に移動させる移動手段と、前記相対的に移動している状態で前記エリアセンサの内の一部の読取素子により予備読み取りすると共に、前記原稿と前記エリアセンサとを相対的に間欠移動しかつ前記原稿と前記エリアセンサとを相対的に停止状態中に前記原稿を前記エリアセンサで本読み取りするように前記エリアセンサ及び前記移動手段を制御する制御手段と、を備えている。
【００１４】
請求項８記載の発明は、請求項７記載の発明において、前記エリアセンサの内の一部の読取素子による読取領域を平面に規制する第１の平面規制手段と、前記原稿における前記エリアセンサにより全読取領域を平面に規制する第２の平面規制手段と、を備え、前記制御手段は、前記予備読み取りする際は前記第１の平面規制手段により前記エリアセンサの内の一部の読取素子による読取領域を平面に規制すると共に、前記本読み取りする際は前記第１の平面規制手段に代えて前記第２の平面規制手段により前記エリアセンサにより全読取領域を平面に規制するように前記第１の平面規制手段及び前記第２の平面規制手段を更に制御することを特徴とする。
【００１５】
請求項９記載の発明は、請求項７又は請求項８記載の発明において、前記原稿は、画像コマが形成された写真感光材料であり、かつ、画像コマの位置を特定するパーフォレーション及びバーコードの少なくとも一方が形成されており、前記制御手段は、前記予備読み取りする際は、前記エリアセンサの内の一部の読取素子により前記形成されているパーフォレーション及びバーコードの少なくとも一方を更に読み取ると共に、前記本読み取りする際は、該読み取ったパーフォレーション及びバーコードの少なくとも一方の情報に基づいて、前記画像コマが前記エリアセンサによる読取領域に位置するように更に制御することを特徴とする。
【００１６】
請求項１０記載の発明は、請求項７乃至請求項９の何れか１項に記載の発明において、前記制御手段は、前記エリアセンサの内の一部の読取素子を専用読取素子として予め定め、前記予備読み取りする際は、該専用読取素子により原稿を読み取ることを特徴とする。
【００１７】
請求項１１記載の発明は、複数のラインセンサが配置されて構成されかつ原稿を読み取る原稿読取手段と、前記複数のラインセンサの配置方向に、前記原稿と前記原稿読取手段とを相対的に移動させる移動手段と、前記移動手段による移動方向における前記原稿の移動の上流側の、前記原稿読取手段から離間した位置に配置された少なくとも１本のラインセンサと、前記原稿読取手段の複数のラインセンサの読取領域及び前記少なくとも１本のラインセンサの読取領域に光を照射する単一の照射手段と、前記相対的に移動している状態で前記原稿を前記少なくとも１本のラインセンサにより予備読み取りし、該予備読み取りの結果に基づいて、該少なくとも１本のラインセンサにより予備読み取りされた領域が、前記原稿読取手段の読取領域に位置し、該予備読み取りされた領域が前記原稿読取手段の読取領域に位置した状態で前記原稿と前記原稿読取手段とを相対的に停止させかつ該予備読み取りされた領域を前記原稿読取手段の複数のラインセンサで本読み取りするように前記原稿読取手段及び前記移動手段を制御する制御手段と、を備えている。
【００１８】
請求項１２記載の発明は、複数のラインセンサが配置されて構成されかつ原稿を読み取る原稿読取手段と、前記複数のラインセンサの配置方向に、前記原稿と前記原稿読取手段とを相対的に移動させる移動手段と、を備えた原稿読取装置の原稿読取方法であって、前記相対的に移動している状態で前記原稿を前記複数のラインセンサの内の少なくとも１本のラインセンサにより予備読み取りし、前記原稿と前記原稿読取手段とを相対的に間欠移動しかつ前記原稿と前記原稿読取手段とを相対的に停止状態中に前記原稿を前記複数のラインセンサで本読み取りするものである。
【００１９】
請求項１３記載の発明は、複数の読取素子からなるエリアセンサと、予め定められた移動方向に、前記原稿と前記エリアセンサとを相対的に移動させる移動手段と、を備えた原稿読取装置の原稿読取方法であって、
前記相対的に移動している状態で前記エリアセンサの内の一部の読取素子により予備読み取りし、前記原稿と前記エリアセンサとを相対的に間欠移動しかつ前記原稿と前記エリアセンサとを相対的に停止状態中に前記原稿を前記エリアセンサで本読み取りするものである。
【００２０】
請求項１４記載の発明は、複数のラインセンサが配置されて構成されかつ原稿を読み取る原稿読取手段と、前記複数のラインセンサの配置方向に、前記原稿と前記原稿読取手段とを相対的に移動させる移動手段と、前記移動手段による移動方向における前記原稿の移動の上流側の、前記原稿読取手段から離間した位置に配置された少なくとも１本のラインセンサと、前記原稿読取手段の複数のラインセンサの読取領域及び前記少なくとも１本のラインセンサの読取領域に光を照射する単一の照射手段と、を備えた原稿読取装置の原稿読取方法であって、前記相対的に移動している状態で前記原稿を前記少なくとも１本のラインセンサにより予備読み取りし、前記予備読み取りの結果に基づいて、該少なくとも１本のラインセンサにより予備読み取りされた領域が、前記原稿読取手段の読取領域に位置させ、前記予備読み取りされた領域が前記原稿読取手段の読取領域に位置した状態で前記原稿と前記原稿読取手段とを相対的に停止させかつ該予備読み取りされた領域を前記原稿読取手段の複数のラインセンサで本読み取りするものである。
【００２１】
請求項１記載の発明の発明に係る原稿読取手段は、複数のラインセンサが配置されて構成されかつ原稿を読み取る。移動手段は、複数のラインセンサの配置方向に、原稿と原稿読取手段とを相対的に移動させる。なお、移動手段は、原稿のみを移動させたり、原稿読取手段のみを移動させたり、原稿及び原稿読取手段を相対的に移動させたり、してもよい。
【００２２】
制御手段は、相対的に移動している状態で原稿を複数のラインセンサの内の少なくとも１本のラインセンサにより予備読み取りすると共に、原稿と原稿読取手段とを相対的に間欠移動しかつ原稿と原稿読取手段とを相対的に停止状態中に原稿を複数のラインセンサで本読み取りするように原稿読取手段及び移動手段を制御する。
【００２３】
このように、原稿読取手段の複数のラインセンサのラインセンサの内の少なくとも１本のラインセンサにより予備読み取りし、原稿と原稿読取手段とを相対的に間欠移動しかつ原稿と原稿読取手段とを相対的に停止状態中に原稿を複数のラインセンサで本読み取りする、即ち、予備読み取り及び本読み取り各々を別々の読取部で行うのではなく原稿読取手段により行うので、簡易な構成にすることができると共に予備読み取り及び本読み取りの速度差も考慮しなくてもよい。なお、請求項１２記載の発明も同様の作用・効果を有するので、その説明を省略する。
【００２４】
請求項２記載の発明に係る結像レンズは、原稿を原稿読取手段に結像させる。調整手段は、結像レンズの被写界深度を調整する。なお、調整手段は、絞りを調整したり、撮像レンズを移動して焦点位置を調整したり、することにより、被写界深度を調整するようにしてもよい。平面規制手段は、原稿における原稿読取手段による読取領域を平面に規制する。
【００２５】
ここで、原稿が曲がっていたりすると、結像レンズにより原稿がぼけた像として原稿読取手段に結像される。このように原稿がぼけた像として原稿読取手段に結像されるのは好ましくない。
【００２６】
そこで、制御手段は、予備読み取りする際は被写界深度を深くすると共に本読み取りする際は被写界深度を浅くしかつ読取領域を平面に規制するように調整手段及び平面規制手段を更に制御する。
【００２７】
このように予備読み取りする際は被写界深度を深くすると共に本読み取りする際は被写界深度を浅くしかつ読取領域を平面に規制するので、予備読み取り及び本読み取りに応じた鮮明度で原稿を原稿読取手段に結像させることができ、原稿の読取精度を向上させることができる。
【００２８】
ここで、平面規制手段としては、例えば、原稿を圧着する、読取領域に対応する開口が形成されている圧着板であってもよく、原稿の中央（読取領域内の凸の頂点）に向かって送風する送風手段としてもよい。
【００２９】
また、予備読み取りする際は被写界深度を深くし、本読み取りする際は被写界深度を浅くしかつ読取領域を平面に規制するようにしたのは、予備読み取りの際は、本読み取りの際より高精度に原稿を読み取る必要がないので、被写界深度を深くすれば原稿のぼけを許容範囲内にすることができる一方、本読み取りの際は、原稿を高精度に読み取る必要があることに鑑みたものである。
【００３０】
一方、本発明は、請求項３記載の発明のように、原稿における複数のラインセンサの内の少なくとも１本のラインセンサによる読取領域を平面に規制する第１の平面規制手段と、原稿における原稿読取手段により全読取領域を平面に規制する第２の平面規制手段と、を備え、制御手段は、予備読み取りする際は第１の平面規制手段により複数のラインセンサの内の少なくとも１本のラインセンサによる読取領域を平面に規制すると共に、本読み取りする際は第１の平面規制手段に代えて第２の平面規制手段により原稿読取手段により全読取領域を平面に規制するように第１の平面規制手段及び第２の平面規制手段を更に制御するようにしてもよい。
【００３１】
このように、予備読み取りする際は第１の平面規制手段により、本読み取りする際は第１の平面規制手段に代えて第２の平面規制手段により平面に規制するようにしているので、予備読み取り及び本読み取りに応じた領域を平面に規制でき、原稿を原稿読取手段に鮮明に結像させることができ、原稿の読取精度を向上させることができる。
【００３２】
なお、第１の平面規制手段及び第２の平面規制手段は、原稿の中央（読取領域内の凸の頂点）に向かって送風する送風手段としてもよい。また、第１の平面規制手段は、原稿の画像読取必要領域外を圧着する圧着ローラとし、かつ、第２の平面規制手段は、原稿を圧着する、読取領域に対応する開口が形成されている圧着板としてもよい。
【００３３】
ここで、原稿として、請求項４記載の発明のように、画像コマが形成された写真感光材料であり、かつ、画像コマの位置を特定するパーフォレーション及びバーコードの少なくとも一方が形成されているとしてもよい。
【００３４】
この場合、制御手段は、予備読み取りする際は、複数のラインセンサの内の少なくとも１本のラインセンサにより、上記形成されているパーフォレーション及びバーコードの少なくとも一方を更に読み取ると共に、本読み取りする際は、該読み取ったパーフォレーション及びバーコードの少なくとも一方の情報に基づいて、画像コマが原稿読取手段による読取領域に位置するように更に制御する。
【００３５】
このように、複数のラインセンサの内の少なくとも１本のラインセンサによりパーフォレーション及びバーコードの少なくとも一方を読み取るので、特別なセンサ等を省略することができる。
【００３６】
なお、請求項５記載の発明のように、制御手段は、複数のラインセンサの内の少なくとも１つのラインセンサを専用ラインセンサとして予め定め、予備読み取りする際は、該専用ラインセンサにより原稿を読み取るようにしてもよい。
【００３７】
そして、この場合、請求項６記載の発明のように、予備読み取りの際の原稿の相対的移動方向上流側に配置され、かつ、原稿の先端を検出する先端検出センサを含み、原稿の移動面への先端検出センサの投影位置から該移動面上に所定距離離れた位置に投影されるラインセンサを専用ラインセンサとして定め、制御手段は、先端検出センサにより先端が検出されたときから原稿が所定距離相対的に移動したときから予備読み取りを開始するように原稿読取手段を制御するようにしてもよい。
【００３８】
ところで、以上説明した発明では、原稿読取手段を複数のラインセンサにより構成し、複数のラインセンサの内の少なくとも１本のラインセンサにより予備読み取りすると共に複数のラインセンサで本読み取りするようにしている。しかし、予備読み取り及び本読み取り各々を別々の読取部で行うのではなく原稿読取手段により行う場合に、原稿読取手段を必ずしも複数のラインセンサにより構成する必要はない。
【００３９】
即ち、請求項７の発明のように、エリアセンサを、複数の読取素子で構成するようにしてもよい。この場合、移動手段は、予め定められた移動方向に、原稿とエリアセンサとを相対的に移動させる。そして、制御手段は、相対的に移動している状態でエリアセンサの内の一部の読取素子により予備読み取りすると共に、原稿とエリアセンサとを相対的に間欠移動しかつ原稿とエリアセンサとを相対的に停止状態中に原稿をエリアセンサで本読み取りするようにエリアセンサ及び移動手段を制御するようにしてもよい。
【００４０】
このように、エリアセンサを、複数の読取素子で構成し、原稿とエリアセンサとを相対的に移動している状態でエリアセンサの内の一部の読取素子により予備読み取りすると共に、原稿とエリアセンサとを相対的に間欠移動しかつ原稿とエリアセンサとを相対的に停止状態中に原稿をエリアセンサで本読み取りするので、予備読み取り及び本読み取り各々を別々の読取部で行うのではなくエリアセンサにより行うことができ、簡易な構成にすることができると共に予備読み取り及び本読み取りの速度差も考慮しなくてもよい。なお、請求項１３記載の発明も同様の作用・効果を有するので、その説明を省略する。
【００４１】
また、請求項８記載の発明のように、エリアセンサの内の一部の読取素子による読取領域を平面に規制する第１の平面規制手段と、原稿におけるエリアセンサにより全読取領域を平面に規制する第２の平面規制手段と、を備え、制御手段は、予備読み取りする際は第１の平面規制手段によりエリアセンサの内の一部の読取素子による読取領域を平面に規制すると共に、本読み取りする際は第１の平面規制手段に代えて第２の平面規制手段によりエリアセンサにより全読取領域を平面に規制するように第１の平面規制手段及び第２の平面規制手段を更に制御するようにしてもよい。
【００４２】
請求項８記載の発明も、前述した請求項３記載の発明のように、予備読み取り及び本読み取りに応じた領域を平面に規制でき、原稿をエリアセンサに鮮明に結像させることができ、原稿の読取精度を向上させることができる。
【００４３】
なお、前述したように、原稿は、画像コマが形成された写真感光材料であり、かつ、画像コマの位置を特定するパーフォレーション及びバーコードの少なくとも一方が形成されており、制御手段は、予備読み取りする際は、エリアセンサの内の一部の読取素子により上記形成されているパーフォレーション及びバーコードの少なくとも一方を更に読み取ると共に、本読み取りする際は、該読み取ったパーフォレーション及びバーコードの少なくとも一方の情報に基づいて、画像コマがエリアセンサによる読取領域に位置するように更に制御するようにしてもよい。
【００４４】
また、制御手段は、エリアセンサの内の一部の読取素子を専用読取素子として予め定め、予備読み取りする際は、該専用読取素子により原稿を読み取るようにしてもよい。
【００４５】
請求項１１記載の発明は、複数のラインセンサが配置されて構成されかつ原稿を読み取る原稿読取手段と、前記複数のラインセンサの配置方向に、前記原稿と前記原稿読取手段とを相対的に移動させる移動手段と、前記移動手段による移動方向における前記原稿の移動の上流側の、前記原稿読取手段から離間した位置に配置された少なくとも１本のラインセンサと、前記原稿読取手段の複数のラインセンサの読取領域及び前記少なくとも１本のラインセンサの読取領域に光を照射する単一の照射手段と、を備えている。
【００４６】
即ち、単一の照射手段は、原稿読取手段の複数のラインセンサの読取領域及び上記少なくとも１本のラインセンサの読取領域に光を照射する。このように、単一の照射手段を備えれば足り、全体の構成を簡易かつ小型化することがてきる。
【００４７】
そして、制御手段は、前記相対的に移動している状態で前記原稿を前記少なくとも１本のラインセンサにより予備読み取りし、該予備読み取りの結果に基づいて、該少なくとも１本のラインセンサにより予備読み取りされた領域が、前記原稿読取手段の読取領域に位置し、該予備読み取りされた領域が前記原稿読取手段の読取領域に位置した状態で前記原稿と前記原稿読取手段とを相対的に停止させかつ該予備読み取りされた領域を前記原稿読取手段の複数のラインセンサで本読み取りするように前記原稿読取手段及び前記移動手段を制御する。
【００４８】
このように、原稿を少なくとも１本のラインセンサにより予備読み取りし、該予備読み取りの結果に基づいて、該少なくとも１本のラインセンサにより予備読み取りされた領域を、原稿読取手段の読取領域で停止させかつ原稿読取手段の複数のラインセンサで本読み取りするので、原稿を往復移動せずに、予備読み取り及び本読み取りすることができる。なお、請求項１４記載の発明も同様の作用・効果を有するので、その説明を省略する。
【００４９】
【発明の実施の形態】
以下、図面を参照して、本発明の実施の形態を詳細に説明する。なお、以下では本発明に支障のない数値を用いて説明するが、本発明は以下に記載した数値に限定されるものではない。
【００５０】
図１に示すように、本実施の形態に係るエリアＣＣＤスキャナ（画像読取装置）１４は、画像処理部１６、マウス２０、２種類のキーボード１２Ａ、１２Ｂ、及びディスプレイ１８が設けられた作業テーブル２７に備えられている。
【００５１】
一方のキーボード１２Ａは作業テーブル２７の作業面２７Ｕ内に埋設されている。他方のキーボード１２Ｂは、不使用時は、作業テーブル２７の引出し２４内に収納され、使用時は、引出し２４から取り出し、一方のキーボード１２Ａ上に重ねる。このとき、キーボード１２Ｂのコードを、画像処理部１６に接続されたジャック１１０に接続する。
【００５２】
マウス２０のコードは作業テーブル２７に設けられた孔１０８を介して画像処理部１６に接続されている。マウス２０は、不使用時はマウスホルダ２０Ａに収納され、使用時はマウスホルダ２０Ａから取り出し、作業面２７Ｕ上に載置する。
【００５３】
画像処理部１６は、作業テーブル２７に設けられた収納部１６Ａに収納され、開閉扉２５によって密閉されている。なお、開閉扉２５を開放することにより、画像処理部１６を取り出すことができるようになっている。
【００５４】
エリアＣＣＤスキャナ１４は、ネガフィルムやリバーサルフィルム等の写真フィルム等の写真感光材料に記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。エリアＣＣＤスキャナ１４は、上記の読取対象のフィルム画像をエリアＣＣＤで読み取り、画像データを出力する。
【００５５】
ここで、写真フィルムとは、被写体を撮影後、現像処理され、ネガ画像又はポジ画像が可視化されたフィルムをいう。
【００５６】
画像処理部１６は、エリアＣＣＤスキャナ１４から出力された画像データが入力されると共に、入力された画像データに対して各種の補正等の画像処理を行って、記録用画像データとして、図示しないレーザプリンタ部へ出力する。
【００５７】
図２及び図３に示すように、エリアＣＣＤスキャナ１４の光学系は、作業テーブル２７の下方に配置された光源部３０、作業テーブル２７に支持された拡散ボックス４０、作業テーブル２７にセットされる、移動手段としてのフィルムキャリア３８、及び作業テーブル２７を挟んで光源部３０の反対側に配置された読取部４３を備えている。
【００５８】
光源部３０は金属製のケーシング３１内に収容されており、ケーシング３１内部には、ハロゲンランプやメタルハライドランプ等から成るランプ３２が配置されている。
【００５９】
ランプ３２の周囲にはリフレクタ３３が設けられており、ランプ３２から射出された光の一部はリフレクタ３３によって反射され、一定の方向へ射出される。リフレクタ３３の側方には、複数のファン３４が設けられている。ファン３４はランプ３２が点灯している間作動され、ケーシング３１の内部が過熱状態となることを防止する。
【００６０】
リフレクタ３３の光射出側には、リフレクタ３３からの射出光の光軸Ｌに沿って、紫外域及び赤外域の波長の光をカットすることで写真フィルム２２の化学変化を防止すると共に温度上昇を防止し読取精度を向上させるＵＶ／ＩＲカットフィルタ３５、ランプ３２からの光及びリフレクタ３３からの射出光の光量を調整する絞り３９、及び、写真フィルム２２及び読取部４３に到達する光の色成分を、写真フィルムの種類（ネガフィルム／リバーサルフィルム）に応じて適切に設定するネガフィルム用のバランスフィルタ３６Ｎ及びリバーサルフィルム用のバランスフィルタ３６Ｐが嵌め込まれているターレット３６（図４（Ｂ）も参照）が順に設けられている。
【００６１】
絞り３９は光軸Ｌを挟んで配置された一対の板材（絞り板）から成り、一対の板材が接近離間するようにスライド移動可能とされている。図４（Ａ）に示すように、絞り３９の一対の板材は、スライド方向に沿った一端側から他端側に向けて、スライド方向に直交する方向に沿った断面積が連続的に変化するように、一端側に切り欠き３９Ａが各々形成されており、切り欠き３９Ａが形成されている側が対向するように配置されている。
【００６２】
上記構成では、所望の光成分の光となるように、写真フィルムの種類に応じたフィルタ（３６Ｎ、３６Ｐ）の何れが光軸Ｌ上に位置し、絞り３９の位置によって絞り３９を通過する光の光量を所望の光量に調整する。
【００６３】
拡散ボックス４０は、上部になるに従って、即ち、写真フィルム２２に近づくに従って、フィルムキャリア３８によって搬送される写真フィルム２２の搬送方向の長さが狭くなり（図２参照）、該搬送方向に直交する方向（写真フィルム２２の幅方向）の長さが広がる（図３参照）形状とされている。また、拡散ボックス４０の光入射側及び光射出側には光拡散板（図示せず）が各々取付けられている。なお、上記の拡散ボックス４０は、１３５サイズの写真フィルム用であるが、他の写真フィルムに応じた形状の拡散ボックス（図示せず）も用意されている。
【００６４】
拡散ボックス４０に入射された光は、フィルムキャリア３８（すなわち写真フィルム２２）に向けて、写真フィルム２２の幅方向を長手方向とするスリット光とされ、また、光拡散板によって拡散光とされて射出される。このように、拡散ボックス４０から射出される光が拡散光とされることにより、写真フィルム２２に照射される光の光量むらが低減され、フィルム画像に均一な光量のスリット光が照射されると共に、フィルム画像に傷が付いていたとしても、この傷が目立ちにくくなる。
【００６５】
フィルムキャリア３８及び拡散ボックス４０は、写真フィルム２２の種類毎に用意されており、写真フィルム２２に応じて選択される。
【００６６】
フィルムキャリア３８の上面及び下面における光軸Ｌに対応する位置には、写真フィルム２２の幅方向に写真フィルム２２の幅より長い細長い開口（図示しない）が設けられている。拡散ボックス４０からのスリット光は、フィルムキャリア３８の下面に設けられた該開口を介して写真フィルム２２に照射され、写真フィルム２２の透過光が、フィルムキャリア３８の上面に設けられた該開口を介して、読取部４３に到達する。
【００６７】
また、拡散ボックス４０は、上面が上記読取位置に接近するように支持されている。よって、フィルムキャリア３８の装填時にフィルムキャリア３８と拡散ボックス４０が干渉しないように、フィルムキャリア３８の下面には、切り欠け部が設けられている。
【００６８】
なお、フィルムキャリアは、プレスキャン時や、ファインスキャン時におけるこれからファインスキャンするフィルム画像の濃度等に応じた複数の速度で写真フィルム２２を搬送可能なように構成されている。
【００６９】
読取部４３は、ケーシング４４内部に収容された状態で配置されている。ケーシング４４の内部には、上面に、エリアセンサとしてのエリアＣＣＤ１１６が取付けられた載置台４７が設けられており、載置台４７からはレンズ筒４９が複数本垂下されている。レンズ筒４９の内部には、縮小・拡大等の変倍のために作業テーブル２７と接近離間する方向Ａにスライド移動可能に、結像レンズとしてのレンズユニット５０が支持されている。作業テーブル２７には支持フレーム４５が立設されている。載置台４７は、支持フレーム４５に取り付けられたガイドレール４２に、上記変倍やオートフォーカス時に共役長を確保するために作業テーブル２７と接近離間する方向Ｂにスライド移動可能に支持されている。レンズユニット５０は複数枚のレンズから成り、複数枚のレンズの間には、調整手段としてのレンズ絞り５１が設けられている。図４（Ｃ）に示すように、レンズ絞り５１は略Ｃ字状に成形された絞り板５１Ａを複数枚備えている。各絞り板５１Ａは光軸Ｌの周囲に均等に配置され一端部がピンに軸支されており、ピンを中心として回動可能とされている。複数枚の絞り板５１Ａは図示しないリンクを介して連結されており、レンズ絞り駆動モータ（後述）の駆動力が伝達されると同一の方向に回動する。この絞り板５１Ａの回動に伴って、光軸Ｌを中心として絞り板５１Ａにより遮光されていない部分（図４（Ｃ）における略星型の部分）の面積が変化し、レンズ絞り５１を通過する光の光量が変化する。
【００７０】
エリアＣＣＤ１１６は、ＣＣＤセル又はフォトダイオード等の光電変換素子（以下、ＣＣＤ素子という）が、写真フィルム２２の幅方向に一列に多数配置され、かつ電子シャッタ機構が設けられたセンシング部が、間隔を空けて互いに平行に３ラインを組として複数組設けられており、各組の各センシング部の光入射側にＲ、Ｇ、Ｂの色分解フィルタの何れかが各々取付けられて構成されている（各組は所謂３ラインカラーＣＣＤとなる）。また、各センシング部の近傍には、多数の転送部が各センシング部に対応して各々設けられており、各センシング部の各ＣＣＤセルに蓄積された電荷は、対応する転送部を介して順に転送される。
【００７１】
またエリアＣＣＤ１１６の光入射側には、ＣＣＤシャッタ５２が設けられている。なお、図４（Ｄ）に示すように、このＣＣＤシャッタ５２にはＮＤフィルタ５２ＮＤが嵌め込まれている。ＣＣＤシャッタ５２は、矢印ｕ方向に回転して、暗補正のためにエリアＣＣＤ１１６に入射される光を遮光する全閉状態（ＮＤフィルタ５２ＮＤが嵌め込まれていない部分５２Ｂ等が、光軸Ｌを含む位置５２Ｃに位置する）、通常の読み取りや明補正のためにエリアＣＣＤ１１６に光を入射させる全開状態（図４（Ｄ）の位置）、リニアリティ補正のためにエリアＣＣＤ１１６に入射される光をＮＤフィルタ５２ＮＤによって減光する減光状態（ＮＤフィルタ５２ＮＤが位置５２Ｃに位置する）の何れかの状態に切り替わる。
【００７２】
図３に示すように、作業テーブル２７には、写真フィルム２２を冷却するための冷却風を生成するコンプレッサ９４が配置されている。コンプレッサ９４により生成された冷却風は、案内管９５によりフィルムキャリア３８の図示しない読取部に案内されて、供給される。これにより、写真フィルム２２の読取部に位置する領域を冷却することができる。なお、案内管９５は、冷却風の流量を検出する、流量センサ９６を貫通している。なお、流量センサに限定されず、冷却風の風速を検出するセンサや圧力を検出する圧力センサを設けるようにしてもよい。
【００７３】
図５に示したエリアＣＣＤスキャナ１４の光学系の主要部を参照しながら、エリアＣＣＤスキャナ１４及び画像処理部１６の電気系の概略構成を、図６を用いて説明する。
【００７４】
エリアＣＣＤスキャナ１４は、エリアＣＣＤスキャナ１４全体の制御を司る、マイクロプロセッサ４６を備えている。マイクロプロセッサ４６には、バス６６を介してＲＡＭ６８（例えばＳＲＡＭ）、ＲＯＭ７０（例えば記憶内容を書換え可能なＲＯＭ）が接続されていると共に、ランプドライバ５３、コンプレッサ９４、流量センサ９６、及びモータドライバ４８が接続されている。ランプドライバ５３は、マイクロプロセッサ４６からの指示に応じてランプ３２を点消灯させる。また、写真フィルム２２のフィルム画像の読み取りの際、写真フィルム２２に冷却風を供給するために、マイクロプロセッサ４６は、コンプレッサ９４を稼働させる。なお、流量センサ９６により冷却風の流量が検出され、マイクロプロセッサ４６は、異常を検知する。
【００７５】
また、モータドライバ４８には、ターレット３６のネガフィルム用のバランスフィルタ３６Ｎ及びリバーサルフィルム用のバランスフィルタ３６Ｐの何れかが光軸Ｌに位置するようにターレット３６を図４（Ｂ）矢印ｔ方向に回転駆動するターレット駆動モータ５４、ターレット３６の基準位置（図示しない切り欠け）を検出するターレット位置センサ５５（図４（Ｂ）も参照）が接続されている。モータドライバ４８には、更に、絞り３９をスライド移動させる絞り駆動モータ５６、絞り３９の位置を検出する、絞り位置センサ５７、載置台４７（即ち、エリアＣＣＤ１１６及びレンズユニット５０）をガイドレール４２に沿ってスライド移動させる読取部駆動モータ５８、載置台４７の位置を検出する読取部位置センサ５９、レンズユニット５０をレンズ筒４９に沿ってスライド移動させるレンズ駆動モータ６０、レンズユニット５０の位置を検出するレンズ位置センサ６１、レンズ絞り５１の絞り板５１Ａを回動させるレンズ絞り駆動モータ６２、レンズ絞り５１の位置（絞り板５１Ａの位置）を検出するレンズ絞り位置センサ６３、ＣＣＤシャッタ５２を全閉状態、全開状態及び減光状態の何れかの状態に切り換えるシャッタ駆動モータ６４、シャッタ位置を検出するシャッタ位置センサ６５、ファン３４を駆動するファン駆動モータ３７が接続されている。
【００７６】
マイクロプロセッサ４６は、エリアＣＣＤ１１６によるプレスキャン（予備読み取り）及びファインスキャン（本読み取り）を行う際に、ターレット位置センサ５５及び絞り位置センサ５７によって検出されるターレット３６及び絞り３９の位置に基づき、ターレット駆動モータ５４によってターレット３６を回転駆動させると共に、絞り駆動モータ５６によって絞り３９をスライド移動させ、フィルム画像に照射される光を調節する。
【００７７】
またマイクロプロセッサ４６は、フィルム画像のサイズやトリミングを行うか否か等に応じてズーム倍率を決定し、フィルム画像が前記決定したズーム倍率でエリアＣＣＤ１１６によって読み取られるように、読取部位置センサ５９によって検出される載置台４７の位置に基づき読取部駆動モータ５８によって載置台４７をスライド移動させると共に、レンズ位置センサ６１によって検出されるレンズユニット５０の位置に基づきレンズ駆動モータ６０によってレンズユニット５０をスライド移動させる。
【００７８】
なお、エリアＣＣＤ１１６の受光面をレンズユニット５０によるフィルム画像の結像位置に一致させる合焦制御（オートフォーカス制御）を行う場合、マイクロプロセッサ４６は、読取部駆動モータ５８により載置台４７のみをスライド移動させる。この合焦制御は、一例としてエリアＣＣＤ１１６によって読み取られたフィルム画像のコントラストが最大となるように行う（所謂画像コントラスト法）ことができるが、これに代えて写真フィルム２２とレンズユニット５０（又はエリアＣＣＤ１１６）との距離を赤外線等により測定する距離センサを設け、フィルム画像のデータに代えて距離センサによって検出された距離に基づいて行うようにしてもよい。
【００７９】
一方、エリアＣＣＤ１１６にはタイミングジェネレータ７４が接続されている。タイミングジェネレータ７４は、エリアＣＣＤ１１６や後述するＡ／Ｄ変換器８２等を動作させるための各種のタイミング信号（クロック信号）を発生する。エリアＣＣＤ１１６の信号出力端は、増幅器７６を介してＡ／Ｄ変換器８２に接続されており、エリアＣＣＤ１１６から出力された信号は、増幅器７６で増幅されＡ／Ｄ変換器８２でディジタルデータに変換される。
【００８０】
Ａ／Ｄ変換器８２の出力端は、相関二重サンプリング回路（ＣＤＳ）８８、インタフェース（Ｉ／Ｆ）回路９０を順に介して画像処理部１６に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００８１】
更に、画像処理部１６には、前述したディスプレイ１８、キーボード１２Ａ、１２Ｂ、マウス２０、及びフィルムキャリア３８が接続されている。
【００８２】
ところで、フィルムキャリア３８内には、図７（Ａ）及び図７（Ｂ）に示すように、写真フィルム２２のエリアＣＣＤ１１６による読取領域の位置と該読取領域からエリアＣＣＤ側に離間した位置とに移動する、読取領域に対応する開口Ｒが形成された圧着板１２０が設けられている。圧着板１２０が写真フィルム２２のエリアＣＣＤ１１６による読取領域の位置に圧着すると、写真フィルム２２の平面性が確保される。写真フィルム２２には、複数の画像コマ１２１が形成されると共に、各画像コマ１２１に対応して、各画像コマ１２１の位置を特定するパーフォレーション１５０及びバーコード１５２が形成されている。パーフォレーション１５０は、各画像コマ１２１の具体的な位置を特定し、バーコード１５２は、端に位置する画像コマからいくつの位置にあるかを特定する。そして、図７（Ｂ）に示すように、開口Ｒは、画像コマ１２１が読取領域に位置したときに、画像コマ１２１、パーフォレーション１５０及びバーコード１５２を内になるように大きさが定められている。よって、エリアＣＣＤ１１６の各ラインセンサは、画像コマ１２１の他、パーフォレーション１５０及びバーコード１５２を読み取ることができる。
【００８３】
また、フィルムキャリア３８内には、プレスキャン時の写真フィルム２２の移動方向上流側（読取領域の手前）には、写真フィルム２２の先端を検出する先端検出センサ１２２が設けられている。そして、写真フィルム２２の移動面への先端検出センサ１２２の投影位置から該移動面上に所定距離Ａ離れた位置に投影されるラインセンサを専用ラインセンサとして予め定めている。
【００８４】
図８には、本実施の形態に係るエリアＣＣＤスキャナ１４Ｆのメインルーチンが示されている。本ルーチンは写真フィルム２２がフィルムキャリア３８に装填され、図示しないスタートキーがオンされたときにスタートし、ステップ１２０で、プレスキャンし、ステップ１３２で、ファインスキャンする。
【００８５】
次に、図９を参照してプレスキャン（ステップ１３０）を詳細に説明する。なお、プレスキャン時は、図７（Ａ）に示すように、圧着板１２０は写真フィルム２２のエリアＣＣＤ１１６による読取領域の位置からエリアＣＣＤ側に離間した位置（点線参照）に位置するものとする。図９のステップ１３４で、被写界深度が深くなるように、レンズユニット５０が絞り５１により絞られるようにレンズ絞り駆動モータ６２を制御する。即ち、写真フィルム２２は湾曲している場合がある。このように湾曲していると写真フィルム２２には、エリアＣＣＤ１１６側に接近する位置と、エリアＣＣＤ１１６側から遠ざかる位置と、がある。本ステップ１３４では、このエリアＣＣＤ１１６側に接近する写真フィルム２２の位置（予想位置）を近点、このエリアＣＣＤ１１６側から遠ざかる写真フィルム２２の位置（予想位置）を遠点となるように、レンズユニット５０が絞り５１により絞られるようにレンズ絞り駆動モータ６２を制御する。ステップ１３６で、写真フィルム２２を搬送開始する。
【００８６】
ステップ１３８で、先端検出センサ１２２により写真フィルム２２の先端が検出されたか否かを判断し、先端検出センサ１２２により写真フィルム２２の先端が検出された場合には、前述したように、写真フィルム１２２の先端は、専用ラインセンサより写真フィルムの搬送方向上流側に距離Ａ離れた位置に位置している。
【００８７】
ステップ１４０で、搬送速度及び距離Ａから、写真フィルム１２２が距離Ａ移動するに必要な時間が経過したか否かを判断することにより、写真フィルム１２２が距離Ａ移動したか否かを判断する。即ち、写真フィルム１２２の先端が専用ラインセンサの読取領域に到達したか否かを判断する。
【００８８】
写真フィルム１２２の先端が専用ラインセンサの読取領域に到達した場合には、ステップ１４２で、専用ラインによる写真フィルム２２の読み取りを開始する。この際は、写真フィルム２２に形成されている画像コマ１２１ばかりでなく、パーフォレーション１５０及びバーコード１５２も読み取る。これにより、当該画像コマ１２１の位置を特定することができる。
【００８９】
ステップ１４４で、専用ラインセンサによる受光量が極端に多くなったか否かを判断することにより、写真フィルム２２の後端が検出されたか否かを判断する。写真フィルム２２の後端が検出された場合には、写真フィルム２２の読み取りが終了したので、ステップ１４６で、写真フィルムの搬送及び読み取りを終了する。
【００９０】
次に、図１０を参照してファインスキャン（ステップ１３２）を詳細に説明する。図１０のステップ１４８で、被写界深度が浅くなるように、レンズユニット５０が絞り５１により絞られるようにレンズ絞り駆動モータ６２を制御する。
【００９１】
ところで、前述したようにプレスキャンにより、写真フィルム２２に形成されている画像コマの数を把握することができるので、ステップ１５０で、各画像コマを順に識別する変数Ｇを初期化し、ステップ１５２で、変数Ｇを１インクリメントし、ステップ１５４で、写真フィルム２２をプレスキャン時とは逆方向に搬送を開始する。前述したパーフォレーション１５０及びバーコード１５２の情報に基づいて、変数Ｇにより識別される画像コマＧがエリアＣＣＤ１１６の全読み取り領域内に位置（図７（Ｂ）参照）したか否かを判断する。
【００９２】
画像コマＧがエリアＣＣＤ１１６の全読み取り領域内に位置した場合に、ステップ１５８で、写真フィルム２２の搬送を停止する。ステップ１６０で、図７（Ａ）に示すように、圧着板１２０を写真フィルム２２に圧着する。これにより、読取領域の平面性が確保される。このように平面性が確保されたので、ステップ１６２で、エリアＣＣＤ全体で写真フィルム２２を読み取る。なお、エリアＣＣＤ全体で原稿の読み取りが終了した場合には、圧着板１２０を退避させる（図７（Ａ）点線位置）。
【００９３】
変数Ｇが当該写真フィルムに形成されている画像コマの総数Ｇ0 か否かを判断する。変数Ｇが画像コマの総数Ｇ0 でない場合には、未だファインスキャンしていない画像コマがあるので、ステップ１５２に戻って、以上の処理（ステップ１５２〜１６４）を実行する。一方、変数Ｇが画像コマの総数Ｇ0 の場合は、全ての画像コマがファインスキャン終了したので、本ルーチンを終了する。
【００９４】
以上説明したように本実施の形態は、エリアセンサの内の１本のラインセンサによりプレスキャンし、複数のラインセンサでファインスキャンするので、予備読み取り及び本読み取り各々をエリアセンサにより行うことができ、簡易な構成にすることができると共に予備読み取り及び本読み取りの速度差も考慮しなくてもよい。
【００９５】
また、本実施の形態では、予備読み取りする際は被写界深度を深くすると共に本読み取りする際は被写界深度を浅くしかつ読取領域を平面に規制するので、予備読み取り及び本読み取りに応じた鮮明度で原稿をエリアセンサに結像させることができ、原稿の読取精度を向上させることができる。
【００９６】
更に、本実施の形態では、専用ラインセンサにより、パーフォレーション及びバーコードの少なくとも一方を読み取るので、特別なセンサ等を省略することができる。
【００９７】
以上説明した実施の形態では、プレスキャンする際は、被写界深度を深くし、ファインスキャンする際は、被写界深度を浅くかつ圧着板を圧着するようにしているが、本発明はこれに限定されず、図１１及び図１２に示すように、上記圧着板１２６の他に、専用ラインの読取領域を平面に規制する一対の圧着ローラ１２０、１２４を配置し、被写界深度は浅いまま維持し、プレスキャン時では、図１１（Ａ）及び図１２に示すように、一対の圧着ローラ１２０、１２４により専用ラインの読取領域を平面に規制し、ファインスキャン時では、一対の圧着ローラ１２０、１２４に代えて、圧着板１２６で写真フィルム２２を圧着するようにしてもよい。
【００９８】
なお、前述した実施の形態では、被写界深度をレンズ絞りにより調整しているが、本発明はこれに限定されず、読取部駆動モータにより焦点位置が写真フィルム面より若干エリアＣＣＤ側（写真フィルムのエリアＣＣＤ側に接近する位置を近点、写真フィルムのエリアＣＣＤ側から遠ざかった位置を遠点とする）に位置するようにレンズユニットを移動することにより被写界深度を調整してもよい。
【００９９】
また、前述した実施の形態では、圧着板、圧着ローラを採用しているが、本発明はこれに限定されず、写真フィルムの中央に送風する送風手段を採用してもよい。
【０１００】
更に、前述した実施の形態では、専用ラインセンサとして、先端検出センサより所定距離のラインセンサとしているが、本発明はこれに限定されず、任意に選択するようにしてもよい。また、専用ラインセンサとして１本のラインセンサを用いているが、本発明はこれに限定されず、複数のラインセンサを用いてもよい。この場合、例えば、３本のラインセンサを用いると共に各々異なる読取波長域の光（Ｒ光、Ｇ光、Ｂ光）を読み取る３ラインカラーセンサとしてもよい。
【０１０１】
加えて、前述した実施の形態では、往路においてプレスキャンし、復路においてファインスキャンするようにしているが、本発明はこれに限定されず、プレスキャンにより各画像コマが特定される毎にファインスキャンするようにしてもよい。
【０１０２】
ところで、以上説明した実施の形態では、エリアセンサを複数のラインセンサにより構成し、複数のラインセンサの内の少なくとも１本のラインセンサにより予備読み取りすると共に複数のラインセンサで本読み取りするようにしている。しかし、予備読み取り及び本読み取り各々を別々の読取部で行うのではなくエリアセンサにより行う場合に、エリアセンサを必ずしも複数のラインセンサにより構成する必要はない。
【０１０３】
即ち、図１３に示すように、エリアセンサを、ＣＣＤを複数配置して構成してもよい。そして、写真フィルム２２の搬送方向と垂直な方向を主走査方向、該搬送方向を副走査方向とした場合、主走査方向の各画素ライン毎に対応して予め定めたＣＣＤで、予備読み取りすると共に全ＣＣＤで本読み取りするようにしてもよい。この場合、予め定めたＣＣＤ位置に応じて読取時期を定めて、予備読取するようにする。
【０１０４】
なお、図１３に示すように、主走査方向の各画素ライン毎に対応してランダムにＣＣＤを定めると、各ＣＣＤの読取時期の制御が複雑になる。そこで、図１４に示すように、主走査方向の各画素ライン毎に、該ラインが一方の端から順に他方の端に近くなるに従って、隣の位置にずれるように予め定めたＣＣＤで、予備読み取りするようにしてもよい。
【０１０５】
一方、前述した実施の形態では、プレスキャンでは、写真フィルムを一端から他端まで搬送し、ファインスキャンでは、写真フィルムを他端から一端まで搬送しているが、本発明はこれに限定されるものでなく、写真フィルムを一端から他端まで搬送する間に、ファインスキャン及びプレスキャンを行う。
【０１０６】
即ち、図１５に示すように、エリアＣＣＤ１１６の内の写真フィルム搬送方向上流側に位置する（少なくとも１本の）ラインセンサ１１６Ｌをプレスキャン用の専用のラインセンサとして定め、該ラインセンサ１１６Ｌ以外のラインセンサにおける画像コマを読取ることの可能なエリア分のラインセンサをファインスキャン用ＣＣＤとして定め、図１６に示すように、制御してもよい。なお、拡散ボックス４０は、図１５に示すように、ラインセンサ１１６Ｌの読取領域に光が集光されるように開口部Ｐが設けられていると共にファインスキャン用ＣＣＤの読取領域に光が拡散されるように拡散板４０Ｂが設けられている。なお、拡散板４０の光反射面を回動自在に構成し、後述するように、プレスキャン時には、ラインセンサ１１６Ｌの読取領域に光が集光され、ファインスキャン時には、ファインスキャン用ＣＣＤの読取領域に光が拡散されるように、拡散板４０の光反射面を制御してもよい。なお、前述した実施の形態と同様の作用部分には同一の符号を付してその詳細な説明を省略する。
【０１０７】
即ち、図１６のステップ１３４で、被写界深度が深くなるように絞りを調整し、次のステップ１３６で、写真フィルム２２の搬送を開始し、ステップ２０２で、ラインセンサ１１６Ｌを使用して、該ラインセンサ１１６Ｌの出力の変化（強→弱）に基づいて、画像コマを検出したか否かを判断する。画像コマが検出されなかった場合には、ステップ２０４で、該ラインセンサ１１６Ｌの出力の変化（強→より強い）に基づいて、写真フィルムの後端が該ラインセンサ１１６Ｌを通過したか否かを判断し、写真フィルムの後端が該ラインセンサ１１６Ｌを通過した場合には、全ての画像コマについて処理が終了したので、本ルーチンを終了する。
【０１０８】
一方、ステップ２０２で画像コマが検出されたと判断された場合には、ステップ２０６で、該ラインセンサ１１６Ｌの出力の変化（弱→強）に基づいて、画像コマの検出が終了したか否かを判断する。画像コマの検出が終了した場合には、画像コマの検出から該検出の終了までの時間に基づいて画像コマの大きさが分かるので、ステップ２１０では、画像の大きさに基づいて、画像コマがファインスキャンエリア（ファインスキャン用ＣＣＤの読取領域）に到着したか否かを判断する。画像コマがファインスキャンエリアに到着した場合には、ステップ２１２で、写真フィルム２２の搬送を停止し、ステップ１４８で、被写界深度が浅くなるように絞り調整し、ステップ１６０で、圧着板１２０を圧着し、ステップ２１４で、ファインスキャン用ＣＣＤ（ラインセンサ１１６Ｌは使用しない）で画像コマを本読み取りし、ステップ２１６で、圧着板の圧着を解除して、ステップ１３４に戻る。
【０１０９】
なお、図１５に示した例は、エリアＣＣＤ１１６の内の写真フィルム搬送方向上流側に位置するラインセンサ１１６Ｌをプレスキャン用の専用のラインセンサとして定め、該ラインセンサ１１６Ｌ以外のラインセンサにおける画像コマを読取ることの可能なエリア分のラインセンサをファインスキャン用ＣＣＤとして定めているが、本発明はこれに限定されるものではなく、図１７に示すように、エリアＣＣＤ１１６を、画像コマを読取ることの可能なエリア分のラインセンサで構成されるファインスキャン用ＣＣＤ１６０Ｂと、該ファインスキャン用ＣＣＤ１６０Ｂより写真フィルム搬送方向上流側に独立して配置されかつプレスキャン用の専用の（少なくとも１本の）ラインセンサとして定められたラインセンサ１６０Ａと、により構成してもよい。
【０１１０】
また、プレスキャン時では、図１８（Ａ）に示すように、画像コマを倍率ｎ＝ｎ１に縮小させてエリアＣＣＤ１１６に結像させ、かつ、エリアＣＣＤ１１６の内の少なくとも１つのラインセンサの一部のＣＣＤで該画像コマを前述したようにプレスキャンし、ファインスキャン時では、図１８（Ｂ）に示すように、画像コマを、プレスキャン時より相対的に拡大（倍率ｎ＝ｎ２（＞ｎ１））させてエリアＣＣＤ１１６に結像させ、かつ、エリアＣＣＤ１１６で該画像コマを前述したようにファインスキャンするようにしてもよい。
【０１１１】
ところで、前述したラインセンサは、Ｒフィルタを配置したラインセンサ、Ｇフィルタを配置したラインセンサ、Ｂフィルタを配置したラインの３つのラインセンサを１組としている。
【０１１２】
また、前述した実施の形態では、エリアＣＣＤとしてＣＣＤを用いた場合を例に説明したが、これに限定されるものではなく、ＭＯＳ型撮像センサ等の他の固体撮像デバイスを用いることも可能である。
【０１１３】
更に、前述した実施の形態では、エリアＣＣＤに対して原稿を移動しているが、本発明はこれに限定されず、原稿に対してエリアＣＣＤを移動したり、原稿及びエリアＣＣＤを相対的に移動するようにしてもよい。
【０１１４】
また、上記では写真フィルムに記録されたフィルム画像を読取対象原稿とし、フィルム画像を透過した光によってフィルム画像を読み取るようにしていたが、これに限定されるものではなく、本発明に係る原稿は、写真フィルムに記録されたフィルム画像以外の他の透過原稿であってもよく、本発明は、例えば、テレシネ変換器のフィルム読取装置に適用可能である。また、光透過性が低い又は光透過性がない媒体（例えば普通紙等）に記録された画像等の反射原稿であってもよい。この場合には、本発明に係る原稿読取装置を、光源から射出され原稿で反射された光を読み取るように構成すればよく、本発明は、例えば、カラー複写機（カラーコピア等）やファクシミリ装置の原稿読取装置等にも適用可能である。
【０１１５】
【発明の効果】
以上説明したように請求項１、７、１２、１３記載の発明は、予備読み取り及び本読み取り各々を原稿読取手段より行うことができ、簡易な構成にすることができると共に予備読み取り及び本読み取りの速度差も考慮しなくてもよい、という効果を有する。
【０１１６】
請求項２記載の発明は、予備読み取りする際は被写界深度を深くすると共に本読み取りする際は被写界深度を浅くしかつ読取領域を平面に規制するので、予備読み取り及び本読み取りに応じた鮮明度で原稿を原稿読取手段に結像させることができ、原稿の読取精度を向上させることができる、という効果を有する。
【０１１７】
請求項３及び請求項８記載の発明は、予備読み取りする際は第１の平面規制手段により、本読み取りする際は第１の平面規制手段に代えて第２の平面規制手段により平面に規制するようにしているので、予備読み取り及び本読み取りに応じた領域を平面に規制でき、原稿を原稿読取手段に鮮明に結像させることができ、原稿の読取精度を向上させることができる、という効果を有する。
【０１１８】
請求項４及び請求項９記載の発明は、特別なセンサ等を省略することができる、という効果を有する。
【０１１９】
請求項１１及び請求項１４記載の発明は、原稿読取手段の複数のラインセンサと、原稿読取手段から離間した位置に配置された少なくとも１本のラインセンサとを、照射手段により光が照射される照射領域に配置するので、原稿を読み取りための照射手段を１つとすることができ、全体の構成を簡易かつ小型化することがてきる、という効果を有する。
【図面の簡単な説明】
【図１】エリアＣＣＤスキャナの外観図である。
【図２】エリアＣＣＤスキャナの光学系の正面断面図である。
【図３】エリアＣＣＤスキャナの光学系の側面断面図である。
【図４】（Ａ）は絞り、（Ｂ）はターレット、（Ｃ）はレンズ絞り、（Ｄ）はＣＣＤシャッタの一例を各々示す平面図である。
【図５】エリアＣＣＤスキャナの光学系の主要部のみを示した図である。
【図６】エリアＣＣＤスキャナの電気系の概略構成を示すブロック図である。
【図７】先端検出センサ、圧着板、及び専用ラインセンサの位置を示した図であり、（Ａ）は断面図、（Ｂ）は、上面図である。
【図８】本実施の形態のメインルーチンを示したフローチャートである。
【図９】図８のステップ１３０のプレスキャンルーチンを示したフローチャートである。
【図１０】図８のステップ１３２のファインスキャンルーチンを示したフローチャートである。
【図１１】変形例に係る先端検出センサ、圧着ローラ、圧着板、及び専用ラインセンサの位置を示した図であり、（Ａ）は、プレスキャン時、（Ｂ）は、ファインスキャン時の様子を示した図である。
【図１２】圧着ローラを示した図である。
【図１３】エリアＣＣＤを複数のＣＣＤで構成した例を示した図である。
【図１４】エリアＣＣＤを複数のＣＣＤで構成した他の例を示した図である。
【図１５】写真フィルムを一端から他端まで搬送する間に、ファインスキャン及びプレスキャンを行う構成を示した図である。
【図１６】図１５に示した構成の写真フィルムを一端から他端まで搬送する間に、ファインスキャン及びプレスキャンを行う作用を示したフローチャートである。
【図１７】写真フィルムを一端から他端まで搬送する間に、ファインスキャン及びプレスキャンを行う他の構成を示した図である。
【図１８】プレスキャン時に相対的に縮小して読み取り、ファインスキャン時に相対的に拡大して読み取る例を示した図である。
【符号の説明】
１１６    エリアＣＣＤ（エリアセンサ）
３８      フィルムキャリア（移動手段）
４６      マイクロプロセッサ（制御手段）
５０      レンズユニット（結像手段）
５１      レンズ絞り（調整手段）
１２０    圧着板（平面規制手段、第２の平面規制手段）
１２６    圧着ローラ（第１の平面規制手段）
１５０    パーフォレーション
１５２    バーコード
【図１】
0003666731.tif 000002
【図２】
0003666731.tif 000003
【図３】
0003666731.tif 000004
【図４】
0003666731.tif 000005
【図５】
0003666731.tif 000006
【図６】
0003666731.tif 000007
【図７】
0003666731.tif 000008
【図８】
0003666731.tif 000009
【図９】
0003666731.tif 000010
【図１０】
0003666731.tif 000011
【図１１】
0003666731.tif 000012
【図１２】
0003666731.tif 000013
【図１３】
0003666731.tif 000014
【図１４】
0003666731.tif 000015
【図１５】
0003666731.tif 000016
【図１６】
0003666731.tif 000017
【図１７】
0003666731.tif 000018
【図１８】
0003666731.tif 000019